(57)【要約】      （修正有）【課題】放熱効果を高めることができるプラグ組立体を提供する。【解決手段】プラグ組立体１００は本体と上カバー２と回路板４とを備え、上カバー２は本体の上に装着され、上表面の後端側に複数の放熱フィン２１１が設けられ、下表面に放熱グリス又は放熱シートの第二伝熱部材を有する銅シートの第一伝熱部材が設けられ、第一伝熱部材には収容槽が開設され、収容槽内は上カバー２の下表面に設けられると共に後に向けて突き出す伝熱管を有し、回路板４は上カバー２内に装着されると共に、第二伝熱部材に互いに接触される。回路板４では電流の流れによる熱が発生しており、上カバー２の下表面に設置される第二伝熱部材が回路板４に互いに接触されることで、回路板４の熱は第二伝熱部材を経由して第一伝熱部材と伝熱管に伝導されてから、上カバー２により放熱フィン２１１に伝導される。【選択図】図２
0003222907.tif 000002
【実用新案登録請求の範囲】
【請求項１】
スイッチング機器内に設置されるプラグ組立体であって、
本体と、
本体の上に装着され、上表面の後端側に複数の放熱フィンが設けられ、下表面に第二伝熱部材を有する第一伝熱部材が設けられる上カバーと、
上カバー内に装着されると共に、第二伝熱部材に互いに接触される回路板と、
を備え、
前記第一伝熱部材には収容槽が開設され、前記収容槽内は、上カバーの下表面に設けられると共に後に向けて突き出す伝熱管を有する
ことを特徴とするプラグ組立体。
【請求項２】
各前記放熱フィンは、少なくとも１つの円柱体を有する
ことを特徴とする請求項１に記載のプラグ組立体。
【請求項３】
前記第一伝熱部材は銅シートであり、第二伝熱部材は放熱グリス又は放熱シートであり、前記伝熱管は銅管である
ことを特徴とする請求項１に記載のプラグ組立体。
【請求項４】
前記本体には、上下貫通の複数の下固定孔が開設され、各前記下固定孔内は共に固定部材を有し、前記上カバーの下表面には複数の上固定孔が更に開設され、各前記上固定孔は共に各下固定孔に対応するように設けられており、
上カバーが本体に取り付けられる際に、複数の固定部材が各下固定孔とその対応する各上固定孔を穿通することで、上カバーは本体に固定される
ことを特徴とする請求項１に記載のプラグ組立体。
【請求項５】
前記本体の後端側は、下に向けて凹んで形成される下外部接続口を有し、前記上カバーの後端側は、凹んで形成される上外部接続口を有し、前記上外部接続口は下外部接続口に対応するように設けられており、
上カバーが本体に取り付けられる際に、前記上外部接続口を下外部接続口と組み合わせることで外部接続口になる
ことを特徴とする請求項１に記載のプラグ組立体。
【請求項６】
前記本体の両側辺は、共に内側に向けて凹んで形成される下固定槽を有し、前記下固定槽は、下に向けて凹んで形成される第一下係着槽を有し、前記下固定槽の前部は、下に向けて凹んで形成される第二下係着槽を有し、
前記上カバーの両側は、共に内側に向けて凹んで形成される上固定槽を有し、前記上固定槽は、下固定槽に対応するように設けられると共に、それと組み合わせることで固定槽になり、かつ凹んで形成される第一上係着槽を有し、
前記第一上係着槽は第一下係着槽に対応するように設けられ、前記上固定槽の前部は、凹んで形成される第二上係着槽を有し、前記第二上係着槽は第二下係着槽に対応するように設けられる
ことを特徴とする請求項１に記載のプラグ組立体。
【請求項７】
前記上カバー内の両側は、共に下に向けて凹んで形成される第二収容槽を有し、前記第二収容槽内には弾性復帰部材が設置され、前記第二収容槽の外壁には開口が開設される
ことを特徴とする請求項６に記載のプラグ組立体。
【請求項８】
前記弾性復帰部材はバネである
ことを特徴とする請求項７に記載のプラグ組立体。
【請求項９】
上固定槽と下固定槽内に設置される固着解除部材を更に備え、
前記固着解除部材の両側は、共に上に向けて突き出して形成される第一上係着ブロックを有し、前記第一上係着ブロックは、第一上係着槽に対応するように設けられる共に当該第一上係着槽内に係着され、
前記固着解除部材の両側は、共に下に向けて突き出して形成される第一下係着ブロックを有し、前記第一下係着ブロックは、第一下係着槽に対応するように設けられる共に当該第一下係着槽内に係着され、
前記固着解除部材の両側の前端側は、共に上下に突き出して形成される第二係着ブロックを有し、前記第二係着ブロックの上部は、第二上係着槽内に設けられ、前記第二係着ブロックの下部は、第二下係着槽内に設けられ、前記第二係着ブロックは前に向けて突き出すことで凸出ブロックが形成され、
前記固着解除部材の両側は、共に内側に向けて突き出して形成される当接ブロックを有し、前記当接ブロックは、開口を経由して第二収容槽内に取り付けられると共に弾性復帰部材に当接され、前記固着解除部材の後端側には、引きリングが固設される
ことを特徴とする請求項７に記載のプラグ組立体。
【請求項１０】
前記上カバー内の両側は、共に凹んで形成される第一収容槽を有し、前記第一収容槽は、内側に向けて突き出して形成される係止ブロックを更に有し、回路板の両側は、上カバーの両側の第一収容槽内に装着され、前記回路板は、内側に向けて凹んで形成される係止槽を有し、前記係止槽は係止ブロックに対応するように設けられており、前記係止ブロックが係止槽内に取り付けられることで、回路板は上カバー内に装着される
ことを特徴とする請求項１に記載のプラグ組立体。
【請求項１１】
前記回路板の両側には第一接触部が開設され、前記回路板の一面には複数の第二接触部が開設される
ことを特徴とする請求項１に記載のプラグ組立体。
【請求項１２】
前記第一接触部は、回路板の、外側に向けて露出する銅箔であり、前記第二接触部は、回路板に形成される複数の丸形銅箔であり、前記第一接触部と第二接触部は、本体と上カバーに互いに接触する
ことを特徴とする請求項１１に記載のプラグ組立体。
【請求項１３】
前記回路板には少なくとも１つの開孔が更に開設される
ことを特徴とする請求項１に記載のプラグ組立体。
【請求項１４】
本体から上に向けて上カバーまで突き出して形成される固定部を更に備え、前記固定部は、開孔を穿通すると共に、本体と上カバーに互いに接触する
ことを特徴とする請求項１３に記載のプラグ組立体。
【請求項１５】
上カバーから下に向けて本体まで突き出して形成される固定部を更に備え、前記固定部は、開孔を穿通すると共に、本体と上カバーに互いに接触する
ことを特徴とする請求項１３に記載のプラグ組立体。
【考案の詳細な説明】
【技術分野】
【０００１】
本考案は、プラグ組立体に関し、特に、放熱効果を持つプラグ組立体に関する。
【背景技術】
【０００２】
公知のクアッドチャネルスモールフォームファクタプラガブル（Ｑｕａｄ  Ｓｍａｌｌ  Ｆｏｒｍ−ｆａｃｔｏｒ  Ｐｌｕｇｇａｂｌｅ，ＱＳＦＰ）は、それに取り付けられつつ互いに接触される外殻が放熱の効果を奏するもので、前記外殻は複数の放熱フィンを有しており、ＱＳＦＰが動作する際に、発生される熱エネルギが熱伝導により外殻に伝導されてから、外殻にある放熱フィンを介して放熱の目的を達する。
【考案の概要】
【考案が解決しようとする課題】
【０００３】
しかしながら、前記放熱方法は他に外殻を取り付ける必要があることから、ＱＳＦＰの体積と製造コストが増大されてしまう。
【０００４】
したがって、本考案は、優れた放熱効果を持つ新型のプラグ組立体を提供することとする。
【課題を解決するための手段】
【０００５】
本考案の目的は、放熱効果を持つプラグ組立体を提供するものである。
【０００６】
上記目的を実現するため、本考案では、スイッチング機器内に設置されるプラグ組立体が開示され、前記プラグ組立体は、本体と、上カバーと、回路板とを備え、前記上カバーは、本体の上に装着され、上表面の後端側に複数の放熱フィンが設けられ、下表面に第二伝熱部材を有する第一伝熱部材が設けられ、前記第一伝熱部材には収容槽が開設され、前記収容槽内は、上カバーの下表面に設けられると共に後に向けて突き出す伝熱管を有し、前記回路板は、上カバー内に装着されると共に、第二伝熱部材に互いに接触される。
【考案の効果】
【０００７】
上記のように、本考案のプラグ組立体が動作する際に、回路板では電流の流れによる熱が発生され、本考案のプラグ組立体は、上カバーの下表面に設置される第二伝熱部材が回路板に互いに接触されることで、回路板の熱が第二伝熱部材を経由して第一伝熱部材と伝熱管に伝導されてから、上カバーにより放熱フィンに伝導される。よって、本考案のプラグ組立体は、優れた熱伝導効果を持つと共に放熱効率を高めることができる。
【図面の簡単な説明】
【０００８】
【図１】本考案のプラグ組立体の斜視図である。
【図２】本考案のプラグ組立体の斜視分解図である。
【図３】本考案のプラグ組立体の上カバーの底面図である。
【図４】本考案のプラグ組立体の回路板の平面図である。
【考案を実施するための形態】
【０００９】
以下、本考案の実施形態、構造や特徴、達する目的、及び奏する効果について、実施例を挙げつつ図面を照らして詳しく説明する。
【００１０】
図１と図２を参照されたい。本考案のプラグ組立体１００は、クアッドチャネルスモールフォームファクタプラガブル（Ｑｕａｄ  Ｓｍａｌｌ  Ｆｏｒｍ−ｆａｃｔｏｒ  Ｐｌｕｇｇａｂｌｅ，ＱＳＦＰ）であり、スイッチング機器（図示せず）内に設置され、前記プラグ組立体１００は、本体１と、上カバー２と、回路板４とを備える。
【００１１】
図２と図３を参照されたい。前記本体１は、上下貫通の複数の下固定孔１１が開設され、各前記下固定孔１１内は共に固定部材１１１を有し、前記本体１の両側辺は、共に内側に向けて凹んで形成される下固定槽１２を有し、前記下固定槽１２は、下に向けて凹んで形成される第一下係着槽１２１を有し、前記下固定槽１２の前部は、下に向けて凹んで形成される第二下係着槽１２２を有し、前記本体１の後端側は、下に向けて凹んで形成される下外部接続口１３を有する。
【００１２】
前記上カバー２は、本体１の上に装着され、前記上カバー２の上表面の後端側には凸出台２１が設けられ、前記凸出台２１には複数の放熱フィン２１１が設けられ、各前記放熱フィン２１１は少なくとも１つの円柱体２１１１を有し、前記円柱体２１１１は放熱面積を増加させつつダイキャスト工程での材料流動に寄与するものである。本実施例において、７つの放熱フィン２１１が設けられ、各放熱フィン２１１は共に２つの円柱体２１１１を有し、前記上カバー２の下表面には第一伝熱部材２２が設けられる。本実施例において、前記第一伝熱部材２２は銅シートであり、前記第一伝熱部材２２は第二伝熱部材２２１を有する。本実施例において、前記第二伝熱部材２２１は放熱グリス又は放熱シートであり、前記第一伝熱部材２２には収容槽２２２が開設され、前記収容槽２２２内は、上カバー２の下表面に設けられると共に後に向けて突き出す伝熱管２３を有する。本実施例において、前記伝熱管２３は銅管であり、前記上カバー２の下表面には複数の上固定孔２４が更に開設され、各前記上固定孔２４は共に本体１の各下固定孔１１に対応するように設けられており、上カバー２が本体１に取り付けられる際に、複数の固定部材１１１が各下固定孔１１とその対応する各上固定孔２４を穿通することで、上カバー２は本体１に固定される。
【００１３】
前記上カバー２の両側は、共に内側に向けて凹んで形成される上固定槽２５を有し、前記上固定槽２５は、下固定槽１２に対応するように設けられると共に、それと組み合わせることで固定槽になり、前記上固定槽２５は、凹んで形成される第一上係着槽２５１を有し、前記第一上係着槽２５１は第一下係着槽１２１に対応するように設けられ、前記上固定槽２５の前部は、凹んで形成される第二上係着槽２５２を有し、前記第二上係着槽２５２は第二下係着槽１２２に対応するように設けられ、前記上カバー２の後端側は、凹んで形成される上外部接続口２６を有し、前記上外部接続口２６は下外部接続口１３に対応するように設けられる。上カバー２が本体１に取り付けられる際に、前記上外部接続口２６を下外部接続口１３と組み合わせることで外部接続口になり、前記外部接続口は、ケーブル（図示せず）を通過させることで、ケーブルが本考案のプラグ組立体１００内の回路板４に接続可能となる。前記上カバー２内の両側は、共に凹んで形成される第一収容槽２７を有し、前記第一収容槽２７は、内側に向けて突き出して形成される係止ブロック２７１を更に有し、前記上カバー２内の両側は、共に下に向けて凹んで形成される第二収容槽２８を有し、前記第二収容槽２８内には弾性復帰部材２８１が設置される。本実施例において、前記弾性復帰部材２８１はバネであり、前記第二収容槽２８の外壁には開口２８２が開設される。
【００１４】
本考案のプラグ組立体１００は、上固定槽２５と下固定槽１２内に設置される固着解除部材３を更に備え、前記固着解除部材３の両側は、共に上に向けて突き出して形成される第一上係着ブロック３１を有し、前記第一上係着ブロック３１は、第一上係着槽２５１に対応するように設けられる共に当該第一上係着槽内に係着され、前記固着解除部材３の両側は、共に下に向けて突き出して形成される第一下係着ブロック３２を有し、前記第一下係着ブロック３２は、第一下係着槽１２１に対応するように設けられる共に当該第一下係着槽内に係着され、前記固着解除部材３の両側の前端側は、共に上下に突き出して形成される第二係着ブロック３３を有し、前記第二係着ブロック３３の上部は、第二上係着槽２５２内に設けられ、前記第二係着ブロック３３の下部は、第二下係着槽１２２内に設けられ、前記第二係着ブロック３３は前に向けて突き出すことで凸出ブロック３４が形成され、前記固着解除部材３の両側は、共に内側に向けて突き出して形成される当接ブロック３５を有し、前記当接ブロック３５は、開口２８２を経由して第二収容槽２８内に取り付けられると共に弾性復帰部材２８１に当接され、前記固着解除部材３の後端側には、引きリング３６が固設される。
【００１５】
本考案のプラグ組立体１００がスイッチング機器内に取り付けられる際に（図示せず）、前記本考案のプラグ組立体１００は、スイッチング機器内に差し込まれると共に、本体１と上カバー２の両側がスイッチング機器内の挟持部に固定されることで、本考案のプラグ組立体１００がスイッチング機器に接続されることとなる。また、本考案のプラグ組立体１００がスイッチング機器内から抜き出される際に（図示せず）、まず、引きリング３６を後に向けて引っ張ると、本体１と上カバー２の両側がスイッチング機器内の挟持部に固定され移動不可能であるため、当接ブロック３５が弾性復帰部材２８１を後へ押圧すると共に、前記弾性復帰部材２８１による前への弾性復帰力が当接ブロック３５に当接することとなる。引きリング３６を継続に後に向けて引っ張ると、当接ブロック３５は弾性復帰部材２８１の弾性復帰力により後への移動ができなくなるため、固着解除部材３の両側は外側へ伸張し、前記凸出ブロック３４はスイッチング機器内の挟持部を広げることで、プラグ組立体１００は外側へ抜き出し可能となる。
【００１６】
図２と図４を参照されたい。前記回路板４の両側は、上カバー２の両側の第一収容槽２７内に装着されると共に第二伝熱部材２２１に互いに接触され、前記回路板４は、内側に向けて凹んで形成される係止槽４１を有し、前記係止槽４１は係止ブロック２７１に対応するように設けられており、前記係止ブロック２７１が係止槽４１内に取り付けられることで、回路板４は上カバー２内に装着される。前記回路板４の両側には第一接触部４２が開設され、前記第一接触部４２は、回路板４の、外側に向けて露出する銅箔であり、前記回路板４の一面には複数の第二接触部４３が開設され、前記第二接触部４３は、回路板４に形成される複数の丸形銅箔であり、前記回路板４には少なくとも１つの開孔４４が更に開設され、前記開孔４４内は固定部４４１を有し、前記固定部４４１は、本体１から上に向けて上カバー２まで突き出して形成される部材、又は、上カバー２から下に向けて本体まで突き出して形成される部材である。前記固定部４４１は、開孔４４を穿通すると共に、本体１と上カバー２に互いに接触する。
【００１７】
本考案のプラグ組立体１００がスイッチング機器に取り付けられつつ動作する際に、前記回路板４では電流の流れによる熱が発生すると共に、前記第一接触部４２は本体１と上カバー２に互いに接触され、前記第二接触部４３は第二伝熱部材２２１に互いに接触されることで、回路板４の熱エネルギは第二伝熱部材２２１を経由して第一伝熱部材２２と伝熱管２３に伝導されてから、熱が上カバー２により本考案のプラグ組立体１００のケース表面と放熱フィン２１１に伝導される。前記開孔４４は、熱が固定部４４１を経由して本体１と上カバー２に伝導されるものである。前記本考案のプラグ組立体１００のケース表面がその取り付けられるスイッチング機器の内壁に接触されることで、熱はスイッチング機器に伝導され、スイッチング機器の放熱フィンでは、スイッチング機器内のファンにより、外部の冷空気をスイッチング機器内に導入させてから、スイッチング機器の放熱フィンと外部の空気が強制的に対流を行われており、これにより放熱の効果を奏する。
【００１８】
上記のように、本考案のプラグ組立体１００は、上カバー２の下表面に設置される第二伝熱部材２２１が回路板４に互いに接触されることで、回路板４の熱が第二伝熱部材２２１を経由して第一伝熱部材２２と伝熱管２３に伝導されてから、上カバー２により放熱フィン２１１に伝導される。よって、本考案のプラグ組立体１００は、優れた熱伝導効果を持つと共に放熱効率を高めることができる。
【符号の説明】
【００１９】
１００    プラグ組立体                  １       本体
１１     下固定孔                  １ １１    固定部材
１２     下固定槽                  １２１   第一下係着槽
１２２    第二下係着槽              １３      下外部接続口
２       上カバー                  ２１      凸出台
２１１    放熱フィン                 ２１１１ 円柱体
２２     第一伝熱部材               ２２１   第二伝熱部材
２２２    収容槽                    ２３     伝熱管
２４     上固定孔                   ２５     上固定槽
２５１   第一上係着槽               ２５２   第二上係着槽
２６     上外部接続口               ２７      第一収容槽
２７１   係止ブロック               ２８     第二収容槽
２８１   弾性復帰部材               ２８２   開口
３       固着解除部材                ３１     第一上係着ブロック
３２     第一下係着ブロック          ３３      第二係着ブロック
３４     凸出ブロック               ３５      当接ブロック
３６     引きリング                 ４      回路板
４１      係止槽                     ４２      第一接触部
４３     第二接触部                 ４４      開孔
４４１   固定部
【図１】
0003222907.tif 000003
【図２】
0003222907.tif 000004
【図３】
0003222907.tif 000005
【図４】
0003222907.tif 000006